(57)【要約】      （修正有）【課題】暴風が吹いても単管パイプが抜けないクランプを提供する。【解決手段】クランプ装置１０は、建設現場に立設される鋼板部と、円筒状の鋼管と、鋼管を貫通するピン部と、ピン部の両端部に設けられ鋼管から突出する突出部６とを有する複数の単管パイプ部２が連結されて構成される支持骨組部とを備える仮囲い装置に用いられ、第一のクランプ部１１及び第三のクランプ部１１ｂを備えるクランプ装置であって、第一のクランプ部及び第三のクランプ部は、単管パイプ部の軸方向に沿って連結され、単管パイプ部を夫々挟持することを特徴とする。【選択図】図１
0003234289.tif 000002
【実用新案登録請求の範囲】
【請求項１】
建設現場に立設される鋼板部と、
円筒状の鋼管と、該鋼管を貫通するピン部と、該ピン部の両端部に設けられ前記鋼管から突出する突出部とを有する複数のパイプが連結されて構成される支持骨組部とを備える仮囲い装置に用いられ、複数のクランプを備えるクランプ装置であって、
前記各クランプは、
一方端に締結部材が回動自在に連結され、他方端に回転軸が設けられる本体部と、
一方端に前記締結部材を受けるための受け部が設けられ、他方端が前記回転軸に回動自在に連結されて、前記本体部を覆うように回動可能な蓋部と、
を有し、
前記各クランプは、前記鋼管の軸方向に沿って連結され、前記鋼管を夫々挟持することを特徴とするクランプ装置。
【請求項２】
請求項１に記載のクランプ装置において、
前記蓋部は、前記ピン部の両端部に設けられる前記突出部に嵌合可能な孔部を有することを特徴とするクランプ装置。
【考案の詳細な説明】
【技術分野】
【０００１】
本考案は、クランプ装置に関する。
【背景技術】
【０００２】
従来、建設現場では、仮囲いとして、鋼板が立設され、これを支持する支持骨組が設置されている。
【０００３】
本考案に関連する技術として、例えば、特許文献１には、略半円湾曲状の可動把持体と固定把持体とで棒状体を把持するようにして締結固定する機構のクランプの２個を、各固定把持体の底部どうしを互いに背中合せ状に配置し、これを回動自在に連結してなる自在型の２連クランプにおいて、連結された固定把持体の内側に、各クランプの把持方向が直交する位置で適宜固定を可能とする固定手段を設けたことを特徴とする直交自在兼用の２連クランプが開示されている。
【先行技術文献】
【特許文献】
【０００４】
【特許文献１】特開平９−４１６５９号公報
【考案の概要】
【考案が解決しようとする課題】
【０００５】
支持骨組は、単管パイプを連結することで構成されているが、複数の単管パイプを連結するためにクランプが用いられている。近年、温暖化などの影響により、大型台風が上陸することがあり、仮囲いが設置された建設現場などで暴風によってクランプから単管パイプが抜けてしまい、仮囲いが壊れてしまうといった課題がある。
【０００６】
本考案の目的は、暴風が吹いても単管パイプが抜けないクランプ装置を提供することである。
【課題を解決するための手段】
【０００７】
本考案に係るクランプ装置において、建設現場に立設される鋼板部と、円筒状の鋼管と、該鋼管を貫通するピン部と、該ピン部の両端部に設けられ前記鋼管から突出する突出部とを有する複数のパイプが連結されて構成される支持骨組部とを備える仮囲い装置に用いられ、複数のクランプを備えるクランプ装置であって、前記各クランプは、一方端に締結部材が回動自在に連結され、他方端に回転軸が設けられる本体部と、一方端に前記締結部材を受けるための受け部が設けられ、他方端が前記回転軸に回動自在に連結されて、前記本体部を覆うように回動可能な蓋部と、を有し、前記各クランプは、前記鋼管の軸方向に沿って連結され、前記鋼管を夫々挟持することを特徴とする。
【０００８】
また、本考案に係るクランプ装置において、前記蓋部は、前記ピン部の両端部に設けられる前記突出部に嵌合可能な孔部を有することが好ましい。
【考案の効果】
【０００９】
本考案によれば、暴風が吹いても単管パイプが抜けずに仮囲いが倒壊することなく立設させることが出来る。
【図面の簡単な説明】
【００１０】
【図１】本考案に係る実施形態のクランプ装置を示す図である。
【図２】本考案に係る実施形態のクランプ装置を仮囲い装置に装着している様子を示す図である。
【考案を実施するための形態】
【００１１】
以下に、本考案に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、本考案に係る実施形態のクランプ装置１０を示す図である。図２は、本考案に係る実施形態のクランプ装置１０を仮囲い装置１に装着している様子を示す図である。
【００１３】
図２（ａ）は、本考案に係る実施形態のクランプ装置１０を仮囲い装置１を側面側から見た様子を示す図であり、図２（ｂ）は、単管パイプ部２の断面図であり、図２（ｃ）は、本考案に係る実施形態のクランプ装置１０を仮囲い装置１を斜め上方から見た様子を示す図である。
【００１４】
最初に、クランプ装置１０を装着する対象の仮囲い装置１について説明し、その後、クランプ装置１０について説明する。仮囲い装置１は、建設現場をぐるりと囲み、関係者以外の立ち入りを防ぐ、工事の騒音を減らす、現場内外の安全対策などを目的として設置されている。
【００１５】
仮囲い装置１は、建設現場に立設される鋼板部４と、複数の単管パイプ部２，３とを有する支持骨組部９とを備えている。
【００１６】
鋼板部４は、適度な強度及び美観を有する材質で構成されている。鋼板部４は、例えば亜鉛メッキ安全鋼板で作成されるものとして説明するが、もちろん、その他の鋼板であってもよく、５５％のアルミニウムと４３％の亜鉛が一体となったガルバリウム安全鋼板でもよい。
【００１７】
支持骨組部９は、立設される鋼板部４を支えるように地面に対して垂直に設けられる単管パイプ部３と、単管パイプ部３を支持するように傾斜して設けられる単管パイプ部２とを備えている。これにより、図２（ａ）の側面視では、単管パイプ部２，３により三角形状を構成している。
【００１８】
単管パイプ部２は、円筒状の鋼管２ａと、鋼管２ａを貫通するピン部５と、ピン部５の両端部に設けられ、鋼管２ａから突出する突出部６，７とを有する。単管パイプ部３も単管パイプ部２と同様の構造を有するが詳細な説明は省略する。
【００１９】
単管パイプ部２のピン部５は、連結対象となる部材に連結する際に利用されるピンであり、例えば、Ｌ字状の切り欠きが形成される土台部に単管パイプ部２を嵌め込んで回転させてロックすることで軸方向への移動を規制するようにすることが出来る。
【００２０】
ここで、ピン部５は、鋼管２ａを貫通するように設けられており、両端部には鋼管２ａの表面から突出した突出部６，７が形成されている。この突出部６，７は平面視（上面視る）が円形である。
【００２１】
単管パイプ部２，３は、適度な強度を有する材質、例えば、スチールや鉄などにメッキしたものとして説明するが、もちろん、適宜変更可能である。
【００２２】
クランプ装置１０は、２本の単管パイプ部２，３を連結するための連結クランプである。クランプ装置１０は、単管パイプ部２を挟持する第一のクランプ部１１と、単管パイプ部３を挟持する第二のクランプ部１１ａと、第一のクランプ部１１及び第二のクランプ部１１ａを回転可能に保持する保持部と、第一のクランプ部１１と単管パイプ２の軸方向に沿って直列に連結される第三のクランプ部１１ｂとを備えている。第一のクランプ部１１と第三のクランプ部１１ｂとは図示しない連結手段、例えば、溶接などにより連結されている。
【００２３】
第一のクランプ部１１は、第一の本体部１２と、第一の蓋部１４と、結合ピン１８と、Ｔ字ボルト２２と、六角ナット２４とを備えている。
【００２４】
第一の本体部１２は、一方端に締結部材を受けるための受け部であるボルト支持部３２が設けられ、他方端に回転軸が回動自在に連結されるためのピン支持部３４が設けられている。そして、第一の本体部１２は、ボルト支持部３２及びピン支持部３４をつなぐように略Ｌ字状に形成された本体側挟持部３６が設けられている。
【００２５】
第一の蓋部１４は、一方端にピン支持部３８が設けられ、他方端にナット受け部４０が設けられており、第一の本体部１２を覆うように回動可能である。そして、第一の蓋部１４は、ピン支持部３８及びナット受け部４０をつなぐよう略円弧状に形成された蓋体側挟持部４２が設けられている。
【００２６】
第二のクランプ部１１ａは、第二の本体部１２ａと、第二の蓋部１４ａと、結合ピン１８ａと、Ｔ字ボルト２２ａと、六角ナット２４ａとを備えている。
【００２７】
第二の本体部１２ａは、一方端に締結部材を受けるための受け部であるボルト支持部３２ａが設けられ、他方端に回転軸が回動自在に連結されるためのピン支持部３４ａが設けられている。そして、第二の本体部１２ａは、ボルト支持部３２ａ及びピン支持部３４ａをつなぐように略Ｌ字状に形成された本体側挟持部が設けられている。
【００２８】
第二の蓋部１４ａは、一方端にピン支持部３８ａが設けられ、他方端にナット受け部４０ａが設けられており、第二の本体部１２ａを覆うように回動可能である。そして、第二の蓋部１４ａは、ピン支持部３８ａ及びナット受け部４０ａをつなぐよう略円弧状に形成された蓋体側挟持部４２ａが設けられている。
【００２９】
第三のクランプ部１１ｂは、第三の本体部１２ｂと、第三の蓋部１４ｂと、結合ピン１８ｂと、Ｔ字ボルト２２ｂと、六角ナット２４ｂとを備えている。
【００３０】
第三の本体部１２ｂは、一方端に締結部材を受けるための受け部であるボルト支持部が設けられ、他方端に回転軸が回動自在に連結されるためのピン支持部３４ｂが設けられている。そして、第三の本体部１２ｂは、ボルト支持部及びピン支持部３４ｂをつなぐように略Ｌ字状に形成された本体側挟持部３６ｂが設けられている。
【００３１】
第三の蓋部１４ｂは、一方端にピン支持部３８ｂが設けられ、他方端にナット受け部４０ｂが設けられており、第三の本体部１２ｂを覆うように回動可能である。そして、第三の蓋部１４ｂは、ピン支持部３８ｂ及びナット受け部４０ｂをつなぐよう略円弧状に形成された蓋体側挟持部４２ｂが設けられている。
【００３２】
第一のクランプ部１１、第二のクランプ部１１ａ及び第三のクランプ部１１ｂは、適度な強度を有する材質、例えば、スチールや鉄などにメッキしたものとして説明するが、もちろん、適宜変更可能である。
【００３３】
第一のクランプ部１１及び第二のクランプ部１１ａの２つで構成されるクランプは、交差する２本の単管パイプ２，３を任意の角度に緊結するもので、単管パイプ２，３の交差角度が自由に変えられる構造である自在型クランプであるものとして説明するが、直交する単管パイプ２，３の緊結のみに用いるもので単管パイプ２，３の交差角度を９０度に保持させる構造である直交型クランプであってもよい。
【００３４】
次に、クランプ装置１０の特徴点について説明する。一般的に、交差する単管パイプ２，３の緊結には自在型クランプ又は直交型クランプの第一のクランプ部１１及び第二のクランプ部１１ａに対応する２つのクランプのみで構成されている。すなわち、各単管パイプ２，３には１つのクランプによって挟持されている。これに対し、クランプ装置１０によれば、単管パイプ部２の軸方向に沿って第一のクランプ部１１及び第三のクランプ部１１ｂが並んで直列に連結されている。
【００３５】
したがって、クランプ装置１０によれば、第一のクランプ部１１のみならず、第三のクランプ部１１ｂによっても単管パイプ部２が挟持されるため、１つのクランプで挟持する場合に比べて抜けにくくすることができるという顕著な効果を奏する。
【００３６】
また、クランプ装置１０のうち、第一のクランプ部１１について説明すると、図１に示されるように、第一の蓋部１４には、単管パイプ部２のピン部５の突出部６，７に嵌合可能な円形の貫通孔である孔部１６が形成されている。
【００３７】
ここでは、孔部１６は、円形の突出部６，７の面積よりも若干大きい孔面積を有するものとして説明するが、その他の形状であってもよく、例えば、単管パイプ部２の軸方向に交わる方向に延びる長孔であってもよい。
【００３８】
なお、上記では、第一のクランプ部１１に形成される孔部１６について説明したが、第ニのクランプ部１１ａ及び第三のクランプ部１１ｂも同様の貫通孔である孔部１６ａ，１６ｂが形成されているが、詳細な説明は省略する。
【００３９】
続いて、上記構成のクランプ装置１０の作用について説明する。従来、建設現場などでは、現場内外の安全対策として仮囲いが設置されている。
【００４０】
仮囲いは、複数枚の鋼板と、これらの鋼板を支持する支持骨組部で構成されている。支持骨組部は、複数の単管パイプが連結されて形成されてり、複数の単管パイプはクランプによって接続されている。
【００４１】
台風などによって暴風が吹きつけると、単管パイプがクランプから抜け落ちて仮囲いが崩落してしまうことがある。このような課題に対し、本考案の実施形態に係るクランプ装置１０は顕著な効果を発揮する。
【００４２】
図１では、六角ナット２４，２４ｂが締め付けられている様子を示しているが、六角ナット２４、２４ｂを緩めて、Ｔ字ボルト２２，Ｔ字ボルト２２ｂを受け部４０，４０ｂから離間させ、第一の蓋部１４及び第二の蓋部１４ｂを開く。
【００４３】
図１に示されるように、第一の本体部１２と第一の蓋部１４との間、及び、第三の本体部１２ｂと第三の蓋部１４ｂに単管パイプ部２を挿通させ、第一の蓋部１４及び第三の蓋部１４ｂを閉じて、Ｔ字ボルト２２，２２ｂを受け部４０，４０ｂに係合させて六角ナット２４，２４ｂを締め付けて第一のクランプ部１１及び第三のクランプ部１１ｂを固定する。
【００４４】
一般的に、単管パイプ２は、１つのクランプによって挟持されていることが多く、台風などの暴風によってクランプから単管が抜けてしまうことがある。これに対し、クランプ装置１０によれば、第一のクランプ部１１のみならず、これに連結される第三のクランプ部１１ｂによっても挟持されるため、摩擦力が高まり、単管パイプ部２が抜けてしまうことを防ぐことができる。
【００４５】
また、単管パイプ２に対して、第一のクランプ部１１及び第三のクランプ部１１ｂで挟持される際に、鋼管２ａのピン部５の両端に設けられる突出部６と、第一の蓋部１４の孔部１６又は第三の蓋部１４ｂの孔部１５ｂのいずれか一方が重なるように位置決めを行い、再び、第一の蓋部１４及び第三の蓋部１４ｂを閉じて、Ｔ字ボルト２２，２２ｂを受け部４０，４０ｂに係合させて六角ナット２４，２４ｂを締め付けて第一のクランプ部１１及び第三のクランプ部１１ｂを固定する。
【００４６】
これにより、単管パイプ部２の突出部６が第一のクランプ部１１の孔部１６又は第三のクランプ部１６ｂに嵌合して固定されて単管パイプ部２の動きが規制されるため、暴風などが吹いても単管パイプ部２が抜け落ちることはなく、仮囲い装置１は安定して立設することができる。
【００４７】
また、上記では、第一のクランプ部１１を単管パイプ部２の突出部に固定することについて説明したが、第二のクランプ部１１についても同様に第二の蓋部１４ａに形成される孔部１６ａを単管パイプ部２，３の突出部に嵌合させて固定することが出来る。
【００４８】
なお、上記では、クランプ装置１０は、第一のクランプ部１１、第二のクランプ部１１ａ及び第三のクランプ部１１ｂの３つのクランプで構成されるものとして説明したが、軸方向に連結される第一のクランプ部１１及び第三のクランプ部１１ｂだけで構成されていてもよい。また、軸方向であれば、第一のクランプ部１１及び第三のクランプ部１１ｂの２つのクランプに加えて、さらに、直列にクランプを連結することで、摩擦力を高めて、より滑りにくいようにしてもよい。
【００４９】
なお、上記では、クランプ装置１０を装着する対象は、建設現場をぐるりと囲み、関係者以外の立ち入りを防ぐ、工事の騒音を減らす、現場内外の安全対策などを目的として設置されている仮囲い装置１であるものとして説明したが、建設現場に立設される鋼板部４と複数の単管パイプ部２，３とを有する支持骨組部９とを備えていた仮囲い装置１以外にも、もちろん適用可能であり、例えば、建設現場の足場等に用いられるパイプにも適用可能である。
【符号の説明】
【００５０】
１      仮囲い装置、２，３  単管パイプ部、２ａ  鋼管、４  鋼板部、５  ピン部、６  突出部、６，７  突出部、９  支持骨組部、１０  クランプ、１１  第一のクランプ部、１１ａ  第二のクランプ部、１１ｂ  第三のクランプ部、１２  第一の本体部、１２ａ  第二の本体部、１２ｂ  第三の本体部、１４  第一の蓋部、１４ａ  第二の蓋部、１４ｂ  第三の蓋部、１６  孔部、１６ａ  孔部、１６ｂ  孔部、１８  結合ピン、１８ａ  結合ピン、１８ｂ  結合ピン、２２  Ｔ字ボルト、２２ａ  Ｔ字ボルト、２２ｂ  Ｔ字ボルト、２４  六角ナット、２４ａ  六角ナット、２４ｂ  六角ナット、３２  ボルト支持部、３２ａ  ボルト支持部、３４  ピン支持部、３４ａ  ピン支持部、３４ｂ  ピン支持部、３６  本体側挟持部、３６ｂ  本体側挟持部、３８  ピン支持部、３８ａ  ピン支持部、３８ｂ  ピン支持部、４０  受け部、４０ａ  受け部、４０ｂ  受け部、４２  蓋体側挟持部、４２ａ  蓋体側挟持部、４２ｂ  蓋体挟持部。
【図１】
0003234289.tif 000003
【図２】
0003234289.tif 000004